(57)【特許請求の範囲】
【請求項１】
原稿画像を読み取って画像データに変換して出力する画像読取手段と、複数の外部端末装置と接続され上記各外部端末装置と通信を行う外部接続手段と、画像データを格納する記憶手段と、上記画像読取手段からの画像データを上記記憶手段に格納し、上記各外部端末装置からの画像データの転送指示信号に応答して、上記格納された画像データを対応する外部端末装置に転送する制御手段とを備えた画像読取装置であって、
上記制御手段は、エラー発生を検出する同時転送タイマーに、上記各外部端末装置が画像データの転送を指示していて現在有効な転送指示信号の数に対応したタイムオーバー値を設定し、上記画像データの転送開始時に上記同時転送タイマーの計時を開始させるように制御し、
上記制御手段は、上記各外部端末装置毎に、初めての転送要求信号に応答して画像データを転送する時点からの転送時間を計時する転送計時タイマーを有し、２番目以降の転送要求信号に応答して上記同時転送タイマーの設定時間値から上記転送計時タイマーの計時値を減算した値を上記同時転送タイマーに設定するとともに、当該２番目以降の転送要求信号に応答して上記転送計時タイマーの計時を開始させることを特徴とする画像読取装置。
【請求項２】
上記制御手段は、所定の基準タイムオーバー検出時間に、上記転送指示信号の数を乗算した乗算結果値を、上記タイムオーバー値に設定することを特徴とする請求項１記載の画像読取装置。
【発明の詳細な説明】
【０００１】
【発明の属する技術分野】
本発明は、例えばイメージスキャナー（以下、スキャナーという。）やディジタル複合装置の画像読取部などの、原稿画像を読み取って画像データに変換する画像読取装置に関する。
【０００２】
【従来の技術】
コピー、プリンタ及びスキャナー機能付きファクシミリ装置であるディジタル複合装置と、パーソナルコンピュータなどの複数のクライアント装置とがローカルエリアネットワーク（以下、ＬＡＮという。）を介して接続してなるＬＡＮシステムが実用化されている。この従来技術のＬＡＮシステムにおいて、ディジタル複合装置内のスキャナーは、原稿画像を読み取り画像データに変換した後、各クライアント装置に対応する画像メモリ内のメモリボックスに格納し、各クライアント装置からの転送指示要求信号に応答して画像メモリ内のメモリボックスから画像データを読み出して対応するクライアント装置に対してＬＡＮを介して転送を行う。
【０００３】
【発明が解決しようとする課題】
従来技術のＬＡＮシステムにおいて、ディジタル複合装置内のスキャナーが、複数のクライアント装置から同時に転送指示要求信号を受信したとき、複数のクライアント装置に対応する複数の画像データの読み出しを時間的に平行して行う必要がある。そして、このＬＡＮシステムにおいて、ネットワークエラー処理としてタイムオーバーを検出するタイマーを設けているが、上述のように複数のクライアント装置に対して画像データを平行して転送する並行処理時にはクライアント装置毎には読み出し時間が多大にかかるので、当該タイマーがタイムオーバとなり、あたかもネットワークエラーが発生したとみなされる場合があるという問題点があった。
【０００４】
本発明の目的は以上の問題点を解決し、複数の外部端末装置に対して画像データを平行して転送する並行処理時において、適切にタイムオーバーを計時でき、誤ったネットワークエラーの発生を防止できる画像読取装置を提供することにある。
【０００５】
【課題を解決するための手段】
本発明に係る画像読取装置は、原稿画像を読み取って画像データに変換して出力する画像読取手段と、複数の外部端末装置と接続され上記各外部端末装置と通信を行う外部接続手段と、画像データを格納する記憶手段と、上記画像読取手段からの画像データを上記記憶手段に格納し、上記各外部端末装置からの画像データの転送指示信号に応答して、上記格納された画像データを対応する外部端末装置に転送する制御手段とを備えた画像読取装置であって、
上記制御手段は、エラー発生を検出する同時転送タイマーに、上記各外部端末装置が画像データの転送を指示していて現在有効な転送指示信号の数に対応したタイムオーバー値を設定し、上記画像データの転送開始時に上記同時転送タイマーの計時を開始させるように制御し、
上記制御手段は、上記各外部端末装置毎に、初めての転送要求信号に応答して画像データを転送する時点からの転送時間を計時する転送計時タイマーを有し、２番目以降の転送要求信号に応答して上記同時転送タイマーの設定時間値から上記転送計時タイマーの計時値を減算した値を上記同時転送タイマーに設定するとともに、当該２番目以降の転送要求信号に応答して上記転送計時タイマーの計時を開始させることを特徴とする。
【０００６】
また、上記画像読取装置において、上記制御手段は、好ましくは、所定の基準タイムオーバー検出時間に、上記転送指示信号の数を乗算した乗算結果値を、上記タイムオーバー値に設定することを特徴とする。
【０００８】
【発明の実施の形態】
以下、図面を参照して本発明に係る実施形態について説明する。
【０００９】
＜第１の実施形態＞
図１は、本発明に係る第１の実施形態である、コピー、プリンタ及びスキャナー機能付きのファクシミリ装置であるディジタル複合装置２０を備えたＬＡＮシステムの構成を示すブロック図である。
【００１０】
この実施形態に係るＬＡＮシステムは、複数Ｎ台のクライアントパーソナルコンピュータ（以下、クライアントＰＣという。）３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントＰＣ３０からルータ装置６０やメールサーバ装置（図示せず。）を介してインターネット９０に接続することにより、ホームページの閲覧や電子メールの送受信を行うことができ、また、各クライアントＰＣ３０は、ディジタル複合装置２０に対してアクセスすることにより、当該装置２０が有するコピー、プリンタ、スキャナー及びファクシミリの各機能を共通に利用することができるように構成されている。
【００１１】
この実施形態に係るディジタル複合装置２０において、各クライアントＰＣ３０毎に、画像メモリ８のメモリボックス領域８ａ内の対応するメモリボックスＭＢ（ｎ）を備え、主制御部１は、画像読取部２からの画像データをメモリボックス領域８ａ内のメモリボックスＭＢ（ｎ）に格納し、各クライアントＰＣ３０からの画像データの転送指示信号に応答して（図４のステップＳ３でＹＥＳ）、上記格納された画像データを対応するクライアントＰＣ３０に転送し、ここで、主制御部１は、エラー発生を検出する同時転送タイマーＴｓｔに、各クライアントＰＣ３０が画像データの転送を指示していて現在有効な転送指示信号の数に対応したタイムオーバー値を設定し（ステップＳ８）、上記画像データの転送開始時に上記同時転送タイマーＴｓｔの計時を開始させる（ステップＳ９）ように制御することを特徴としている。ここで、主制御部１は、所定の基準タイムオーバー検出時間に、好ましくは。上記転送指示信号の数を乗算した乗算結果値を、上記タイムオーバー値に設定する（ステップＳ５及びＳ８）。
【００１２】
図２は、図１のクライアントＰＣ３０の構成を示すブロック図である。
【００１３】
図２において、クライアントＰＣ３０は、公知のパーソナルコンピュータである外部端末装置であって、画像データや文字データの生成や記録、格納などの処理を実行する。本実施形態においては、クライアントＰＣ３０は、一例として、スキャナーにより走査された画像データを受信する外部端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントＰＣ３０において、画像読取部及び画像記録部（図示せず。）はオプションで設けられる。表示部１０４は、液晶表示装置（ＬＣＤ）又はＣＲＴディスプレイ等の表示装置であり、当該クライアントＰＣ３０の動作状態を表示したり、送信すべき原稿の画像データ、及び受信した画像データの表示を行う。操作部１０５は、例えばキーボードであり、文字データや指示コマンドを入力するためのものである。
【００１４】
ＲＯＭ１０６は、当該クライアントＰＣ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。
【００１５】
以上のように構成されたクライアントＰＣ３０において、クライアントＰＣ３０の主制御部１０１は、画像読取部２により走査されて変換された後メモリボックス領域８ａ内の対応するメモリボックスに格納された画像データを自身の装置内に転送するとき、対応するメモリボックスを指示する指示データを含む転送指示要求信号をＬＡＮインターフェース１１２及びＬＡＮ７０を介してディジタル複合装置２０内の主制御部１に対して送信し、これに応答して、ディジタル複合装置２０からＬＡＮ７０を介して送信されてくる画像データを受信してハードディスクドライブ９に格納する。
【００１６】
図３は、図１のディジタル複合装置２０の構成を示すブロック図である。
【００１７】
図３において、ディジタル複合装置２０は、従来のＧ３方式等のファクシミリ通信機能に加えて、コピー、プリンタ、及びスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００１８】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１９】
ＲＯＭ６は、当該ディジタル複合装置２０の動作に必要であって主制御部１によって実行される種々のソフトウェアのプログラムを予め格納し、本実施形態では、少なくとも図４の「走査された画像データの読み出し転送処理」のプログラムを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。
【００２０】
画像メモリ８はＤＲＡＭ等で構成され、送信すべき画像データ又は受信した画像データ、もしくは走査されて変換された画像データを記憶する。ここで、画像メモリ８は、複数のクライアントＰＣ３０に対応した複数のメモリボックスに区分されたメモリボックス領域８ａを備える。各クライアントＰＣ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２１】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２２】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００２３】
以上のように構成されたディジタル複合装置２０のファクシミリ通信機能において、各クライアントＰＣ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じて画像記録部３でプリントされる。
【００２４】
本実施形態においては、各クライアントＰＣ３０専用で各クライアントＰＣ３０に対応したメモリボックスＭＢ（ｎ）が画像メモリ８において設けられ、画像読取部２を用いて読み取って変換された画像データをメモリボックスＭＢ（ｎ）に格納し、次いで、各クライアントＰＣ３０からの転送指示信号に応答して、ディジタル複合装置２０の主制御部１は、以下の通りエラー処理を行う。複数のクライアントＰＣ３０から上記複数のメモリボックスＭＢ（１）乃至ＭＢ（Ｎ）から時間的に同時に画像データを取り出す場合に、ＬＡＮ７０などのネットワーク等の障害で画像データを取り出せない場合が発生するが、障害が発生したかを各メモリボックスＭＢ（１）乃至ＭＢ（Ｎ）毎に（すなわち、クライアントＰＣ３０毎に）１つの転送指示信号毎に共通の同時転送タイマーＴｓｔをセットし、セットした同時転送タイマーＴｓｔがタームオーバーした場合は、エラーが発生したと判断する。各メモリボックスＭＢ（ｎ）毎に各転送指示信号でセットする同時転送タイマーＴｓｔは、その設定値を可変的にセットする。ここで、メモリボックスＭＢ（ｎ）からのデータ取り出しを同時に実行している数、すなわちクライアントＰＣ３０が画像データの転送を指示していて現在有効な転送指示信号の数をＳＴＣとし、各メモリボックスＭＢ（ｎ）の各転送指示信号間の基準エラー監視時間をＴ０に設定し、同時転送タイマーＴｓｔのタイムオーバー時間をＳＴＣ×Ｔ０に設定することを特徴としている。
【００２５】
図４は、図３の主制御部１によって実行される、第１の実施形態に係る走査された画像データの読み出し転送処理を示すフローチャートである。
【００２６】
図４において、まず、ステップＳ１で同時転送カウントＳＴＣを０にリセットし、ステップＳ２でメモリボックスＭＢ（ｎ）のパラメータｎを１にセットする。次いで、ステップＳ３においてメモリボックスＭＢ（ｎ）に対する転送指示信号を受信したか否かが判断され、ＹＥＳのときはステップＳ４に進む一方、ＮＯのときはステップＳ１２に進む。そして、ステップＳ４においてそれはメモリボックスＭＢ（ｎ）に対する初めての転送指示信号であるか否かが判断され、ＹＥＳのときはステップＳ５に進む一方、ＮＯのときはステップＳ６に進む。ステップＳ５では、同時転送カウントＳＴＣを１だけインクリメントし、ステップＳ６においてメモリボックスＭＢ（ｎ）から転送すべき画像データがあるか否かが判断され、ＹＥＳのときはステップＳ７に進む一方、ＮＯのときはステップＳ１０に進む。また、ステップＳ７において同時転送タイマーＴｓｔがタイムオーバーしたか否かが判断され、ＹＥＳのときはステップＳ１０に進む一方、ＮＯのときはステップＳ８に進む。
【００２７】
ステップＳ８において同時転送タイマーＴｓｔにＳＴＣ×Ｔ０をセットして計時を開始し、ステップＳ９においてメモリボックスＭＢ（ｎ）から画像データを読み出してクライアントＰＣ３０−ｎに転送を開始してステップＳ１２に進む。
【００２８】
一方、ステップＳ１０では、エラーが発生したと判断してエラー発生を表示部４に表示し、同時転送タイマーＴｓｔに（ＳＴＣ−１）×Ｔ０をセットして計時を開始し、ステップＳ１１において同時転送カウントＳＴＣを１だけデクリメントしてステップＳ１２に進む。
【００２９】
ステップＳ１２においてｎ≧Ｎであるか否かが判断され、ＮＯのときはステップＳ１３に進む一方、ＹＥＳのときはステップＳ１４に進む。ステップＳ１３では、別のメモリボックスＭＢ（ｎ）について処理を行うためにパラメータｎを１だけインクリメントしてステップＳ３に戻る。一方、ステップＳ１４ではパラメータｎを１にリセットした後、ステップＳ３に戻る。
【００３０】
以上説明したように、本実施形態によれば、ディジタル複合装置２０において、各クライアントＰＣ３０毎に、画像メモリ８のメモリボックス領域８ａ内の対応するメモリボックスＭＢ（ｎ）を備え、主制御部１は、画像読取部２からの画像データをメモリボックス領域８ａ内のメモリボックスＭＢ（ｎ）に格納し、各クライアントＰＣ３０からの画像データの転送指示信号に応答して（図４のステップＳ３でＹＥＳ）、上記格納された画像データを対応するクライアントＰＣ３０に転送し、ここで、主制御部１は、エラー発生を検出する同時転送タイマーＴｓｔに、各クライアントＰＣ３０が画像データの転送を指示していて現在有効な転送指示信号の数に対応したタイムオーバー値を設定し（ステップＳ８）、上記画像データの転送開始時に上記同時転送タイマーＴｓｔの計時を開始させる（ステップＳ９）ように制御する。従って、例えばクライアントＰＣ３０などの複数の外部端末装置に対して画像データを平行して転送する並行処理時において、適切にタイムオーバーを計時でき、誤ったネットワークエラーの発生を防止できる。
【００３１】
また、主制御部１は、所定の基準タイムオーバー検出時間に、好ましくは。上記転送指示信号の数を乗算した乗算結果値を、上記タイムオーバー値に設定する（ステップＳ５及びＳ８）。従って、並行して処理すべき数である転送指示信号の数に応じて上記タイムオーバー値を変化させるので、本来のネットワークエラー発生時に適切な検出ができかつ同時に画像データを発生するときに、誤ったネットワークエラーを発生することを防止できる。
【００３２】
＜第２の実施形態＞
図５は、図３の主制御部１によって実行される、第２の実施形態に係る走査された画像データの読み出し転送処理を示すフローチャートであり、図６は、図５のサブルーチンであるタイマー設定処理（ステップＳ１５）を示すフローチャートである。
【００３３】
この第２の実施形態においては、ディジタル複合装置２０の主制御部１は、各クライアントＰＣ３０毎に、初めての転送要求信号に応答して画像データを送信を転送する時点からの転送時間を計時する（図６のステップＳ２２）転送計時タイマーＴｔｒを有し、２番目以降の転送要求信号に応答して同時転送タイマーＴｓｔの設定時間値から転送計時タイマーＴｔｒの計時値を減算した値を上記同時転送タイマーＴｓｔに設定する（ステップＳ２５）とともに、当該２番目以降の転送要求信号に応答して上記転送計時タイマーＴｔｒの計時を開始させる（ステップＳ２６）ことを特徴としている。この第２の実施形態に係る図５及び図６の読み出し転送処理は、第１の実施形態に係る図４の当該処理に比較して、図４のステップＳ８及びＳ９を、その詳細が図６に図示されたステップＳ１５に置き換えたことを特徴としている。以下、この相違点について説明する。
【００３４】
図６のタイマー設定処理において、まず、ステップＳ２１でメモリボックスＭＢ（ｎ）に対して初めての転送要求信号か否かが判断され、ＹＥＳのときはステップＳ２２に進む一方、ＮＯのときはステップＳ２５に進む。ステップＳ２２において転送計時タイマーＴｔｒ（ｎ）を０にリセットして計時を開始し、ステップＳ２３において同時転送タイマーＴｓｔにＴｓｔ＋Ｔｏを再セットして計時を開始し、ステップＳ２４においてメモリボックスＭＢ（ｎ）から画像データを読み出してクライアントＰＣ３０−ｎに転送して元のメインルーチンに戻る。一方、ステップＳ２５において同時転送タイマーＴｓｔにＴｓｔ−Ｔｔｒ（ｎ）をセットして計時を開始し、ステップＳ２６において転送計時タイマーＴｔｒ（ｎ）を０にリセットして計時を開始し、ステップＳ２７においてメモリボックスＭＢ（ｎ）から画像データを読み出してクライアントＰＣ３０−ｎに転送して元のメインルーチンに戻る。
【００３５】
以上説明したように、本実施形態によれば、ディジタル複合装置２０の主制御部１は、各クライアントＰＣ３０毎に、初めての転送要求信号に応答して画像データを送信を転送する時点からの転送時間を計時する（図６のステップＳ２２）転送計時タイマーＴｔｒを有し、２番目以降の転送要求信号に応答して同時転送タイマーＴｓｔの設定時間値から転送計時タイマーＴｔｒの計時値を減算した値を上記同時転送タイマーＴｓｔに設定する（ステップＳ２５）とともに、当該２番目以降の転送要求信号に応答して上記転送計時タイマーＴｔｒの計時を開始させる（ステップＳ２６）。従って、本実施形態によれば、従って、例えばクライアントＰＣ３０などの複数の外部端末装置に対して画像データを平行して転送する並行処理時において、より正確にタイムオーバーを計時でき、誤ったネットワークエラーの発生を防止できる。
【００３６】
＜変形例＞
以上の実施形態においては、ディジタル複合装置２０の例について述べているが、本発明はこれに限らず、スキャナー機能を有する画像読取装置に広く適用することができる。
【００３７】
【発明の効果】
以上詳述したように本発明に係る画像読取装置によれば、原稿画像を読み取って画像データに変換して出力する画像読取手段と、複数の外部端末装置と接続され上記各外部端末装置と通信を行う外部接続手段と、画像データを格納する記憶手段と、上記画像読取手段からの画像データを上記記憶手段に格納し、上記各外部端末装置からの画像データの転送指示信号に応答して、上記格納された画像データを対応する外部端末装置に転送する制御手段とを備えた画像読取装置であって、上記制御手段は、エラー発生を検出する同時転送タイマーに、上記各外部端末装置が画像データの転送を指示していて現在有効な転送指示信号の数に対応したタイムオーバー値を設定し、上記画像データの転送開始時に上記同時転送タイマーの計時を開始させるように制御する。従って、複数の外部端末装置に対して画像データを平行して転送する並行処理時において、適切にタイムオーバーを計時でき、誤ったネットワークエラーの発生を防止できる。
さらに、上記制御手段は、上記各外部端末装置毎に、初めての転送要求信号に応答して画像データを送信を転送する時点からの転送時間を計時する転送計時タイマーを有し、２番目以降の転送要求信号に応答して上記同時転送タイマーの設定時間値から上記転送計時タイマーの計時値を減算した値を上記同時転送タイマーに設定するとともに、当該２番目以降の転送要求信号に応答して上記転送計時タイマーの計時を開始させる。従って、例えばクライアントＰＣ３０などの複数の外部端末装置に対して画像データを平行して転送する並行処理時において、より正確にタイムオーバーを計時でき、誤ったネットワークエラーの発生を防止できる。
【００３８】
また、上記画像読取装置において、上記制御手段は、好ましくは、所定の基準タイムオーバー検出時間に、上記転送指示信号の数を乗算した乗算結果値を、上記タイムオーバー値に設定する。従って、並行して処理すべき数である転送指示信号の数に応じて上記タイムオーバー値を変化させるので、本来のネットワークエラー発生時に適切な検出ができかつ同時に画像データを発生するときに、誤ったネットワークエラーを発生することを防止できる。
【図面の簡単な説明】
【図１】本発明に係る実施形態である、コピー、プリンタ及びスキャナー機能付きのファクシミリ装置であるディジタル複合装置２０を備えたＬＡＮシステムの構成を示すブロック図である。
【図２】図１のクライアントＰＣ３０の構成を示すブロック図である。
【図３】図１のディジタル複合装置２０の構成を示すブロック図である。
【図４】図３の主制御部１によって実行される、第１の実施形態に係る走査された画像データの読み出し転送処理を示すフローチャートである。
【図５】図３の主制御部１によって実行される、第２の実施形態に係る走査された画像データの読み出し転送処理を示すフローチャートである。
【図６】図５のサブルーチンであるタイマー設定処理（ステップＳ１５）を示すフローチャートである。
【符号の説明】
１…主制御部、
２…画像読取部、
４…表示部、
５…操作部、
６…ＲＯＭ、
７…ＲＡＭ、
８…画像メモリ、
８ａ…メモリボックス領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ（クライアントＰＣ）、
７０…ローカルエリアネットワーク（ＬＡＮ）。
【図１】
0003601468.tif 000002
【図２】
0003601468.tif 000003
【図３】
0003601468.tif 000004
【図４】
0003601468.tif 000005
【図５】
0003601468.tif 000006
【図６】
0003601468.tif 000007